(57)【特許請求の範囲】
【請求項１】
液晶表示パネルと、この液晶表示パネルが支持される保持部材と、前記液晶表示パネルの周縁部を抑えるパネル抑えと、前記液晶表示パネルの前面を覆い、前記液晶表示パネルが視認可能なように開口部を有した見返し部材と、前記液晶表示パネルと前記液晶表示パネルの背後に配置される回路基板とを電気的に接続する可撓性配線板とを備えた液晶表示装置において、
前記保持部材は、前記可撓性配線板を前記回路基板に案内する第１の傾斜部を有したガイド部を備え、
前記見返し部材は、前記第１の傾斜部と対応し、前記可撓性配線板を覆うための第２の傾斜部を有する保護部を備え、
前記可撓性配線板が前記第１の傾斜部に沿って引き回されるための切り欠き部を前記保持部材に設けたことを特徴とする液晶表示装置。
【請求項２】
液晶表示パネルと、この液晶表示パネルが支持される保持部材と、前記液晶表示パネルの周縁部を抑えるパネル抑えと、前記液晶表示パネルの前面を覆い、前記液晶表示パネルが視認可能なように開口部を有した見返し部材と、前記液晶表示パネルと前記液晶表示パネルの背後に配置される回路基板とを電気的に接続する可撓性配線板とを備えた液晶表示装置において、
前記保持部材は、前記可撓性配線板を前記回路基板に案内する第１の傾斜部を有したガイド部を備え、
前記見返し部材は、前記第１の傾斜部と対応し、前記可撓性配線板を覆うための第２の傾斜部を有する保護部を備え、
前記保護部は、前記第２の傾斜部から前記回路基板の盤面方向に延長されたフランジ部を有していることを特徴とする請求項１に記載の液晶表示装置。
【発明の詳細な説明】
【技術分野】
【０００１】
本発明は、例えば自動車やオートバイに搭載される液晶表示装置に関し、特に可撓性配線板を用いて電気接続された液晶表示器を備えた液晶表示装置に関する。
【背景技術】
【０００２】
この種の液晶表示装置として例えば下記特許文献１に記載されたものが知られている。この液晶表示装置は、透過型の液晶表示パネルと、この液晶表示パネルが支持されるホルダーと、液晶表示パネルの周縁部を抑えるパネル抑えと、液晶表示パネルを駆動するための駆動回路を有する回路基板とを備え、可撓性配線板の一端が液晶表示パネルに接続され、他端が回路基板の裏面に実装されたコネクタに接続されているものである。
【先行技術文献】
【特許文献】
【０００３】
【特許文献１】特開２００７−１２１４８６号公報
【発明の開示】
【発明が解決しようとする課題】
【０００４】
しかしながら、前記特許文献１に記載の液晶表示装置は、可撓性配線板をガイドするガイド部がなく、ケース体から引き出された可撓性配線板を回路基板に接続する構造であるため、自動車や建機機械等の振動が生じる虞のある状況下では、可撓性配線板が振動し、異音の発生や、接触不良や、可撓性配線板の断線などが生じるという問題があった。
【０００５】
そこで、本発明は前述した問題点に着目し、振動が発生する虞のある状況下においても、異音の発生や、接続不良や、可撓性配線板の断線を抑えた液晶表示装置を提供することを目的とする。
【課題を解決するための手段】
【０００６】
本発明は、請求項１に記載のように、液晶表示パネルと、この液晶表示パネルが支持される保持部材と、前記液晶表示パネルの周縁部を抑えるパネル抑えと、前記液晶表示パネルの前面を覆い、前記液晶表示パネルが視認可能なように開口部を有した見返し部材と、前記液晶表示パネルと前記液晶表示パネルの背後に配置される回路基板とを電気的に接続する可撓性配線板とを備えた液晶表示装置において、
前記保持部材は、前記可撓性配線板を前記回路基板に案内する第１の傾斜部を有したガイド部を備え、
前記見返し部材は、前記第１の傾斜部と対応し、前記可撓性配線板を覆うための第２の傾斜部を有する保護部を備え、
前記可撓性配線板が前記第１の傾斜部に沿って引き回されるための切り欠き部を前記保持部材に設けたことを特徴とする。
【０００７】
このように構成することにより、可撓性配線板をガイド部と保護部との間で挟むように引き回すことにより、可撓性配線板が撓むのを防ぎ、確実に保持することができるため、振動による異音の発生や、接続不良や、可撓性配線板の断線を抑えることが可能となる。
【０００８】
また本発明は、請求項２に記載のように、液晶表示パネルと、この液晶表示パネルが支持される保持部材と、前記液晶表示パネルの周縁部を抑えるパネル抑えと、前記液晶表示パネルの前面を覆い、前記液晶表示パネルが視認可能なように開口部を有した見返し部材と、前記液晶表示パネルと前記液晶表示パネルの背後に配置される回路基板とを電気的に接続する可撓性配線板とを備えた液晶表示装置において、
前記保持部材は、前記可撓性配線板を前記回路基板に案内する第１の傾斜部を有したガイド部を備え、
前記見返し部材は、前記第１の傾斜部と対応し、前記可撓性配線板を覆うための第２の傾斜部を有する保護部を備え、
前記保護部は、前記第２の傾斜部から前記回路基板の盤面方向に延長されたフランジ部を有していることを特徴とする。
【発明の効果】
【００１０】
本発明によれば、異音の発生や、接続不良や、可撓性配線板の断線を抑えた液晶表示装置を提供することができる。
【図面の簡単な説明】
【００１１】
【図１】本発明の第１の実施形態による液晶表示装置の中ケース正面図。
【図２】図１の側面図。
【図３】本発明の第１の実施形態による液晶表示装置のＡ−Ａ断面図。
【発明を実施するための形態】
【００１２】
液晶表示装置は、矩形の透過型の液晶表示パネル１と、この液晶表示パネル１の裏面側に配置された導光板２と、液晶表示パネル１および導光板２が支持されるホルダー３と、このホルダー３の背後に配置された硬質の回路基板４と、液晶表示パネル１の周縁を抑える金属製のパネル抑え５と、パネル抑え５の周縁を抑える不透過性の見返し部材６とを備えている。これら各部品は液晶表示器としてユニット化されている。
【００１３】
また、液晶表示装置には液晶表示器が収納される下ケース８と、この下ケース８の開口側を被う上ケース９と、見返し部材６の前方側に配置された前面カバー１０を備えている。
【００１４】
液晶表示パネル１は、二枚のガラス基板の間に液晶分子を封入し、各々のガラス基板に例えばスモーク調の偏光膜を貼ったものである。そして、ガラス基板に設けた図示しない電極部に外部測定量に応じた信号（電圧）が印加されると、例えば車両のエンジン回転数や燃料残量などが表示される液晶表示部（図示せず）が黒色で現れるようになっている。
【００１５】
ホルダー３は例えば白色の合成樹脂からなり、周壁と、液晶表示パネル１あるいは導光板２が載置される載置部と、この載置部から発光ダイオード（図示せず）側に向かって延びる反射壁を有している。この反射壁は導光板２で反射された発光ダイオードの光を再度導光板２側に反射させる役目を有している。
【００１６】
また、ホルダー３の周壁には、後述するＦＰＣが回路基板４側へ案内されるためのＦＰＣガイド部３１１が設けられ、回路基板４に向かうに従って液晶表示パネル１から離れるように形成された第１の傾斜部３１３を有している。また、第１の傾斜部３１３が設けたれた周壁３１には、ＦＰＣ（可撓性配線板）１９が、第１の傾斜部３１３に沿って引き出されるための切り欠き部３１２が形成されている。
【００１７】
回路基板４には、図示しないが電源回路や液晶を駆動させる駆動回路などの制御手段が設けられている。液晶表示パネル１と回路基板４とはＦＰＣ１９によって電気的に接続されている。ＦＰＣ１９の一端は液晶表示パネル１に固着され、他端はコネクタ２０を用いて回路基板４と接続されている。
【００１８】
パネル抑え５は、液晶表示パネル１の周縁を覆う枠状の縁部を有する金属性のパネル抑えであり、液晶表示パネル１が視認可能な開口穴（図示せず）を有している。
【００１９】
見返し部材６は、例えば黒色の合成樹脂からなり、パネル抑え５の縁部と前面とを覆うように設けられ、液晶表示パネル１が視認可能な開口部６Ａを有し、この開口部６Ａの周囲でパネル抑え５の周縁を抑える縁部６１と、縁部６１からパネル抑え５の周囲に延長された前面部６２などを有している。そして、ＦＰＣガイド部３１１と対応する箇所の縁部６１には、ＦＰＣガイド部３１１の上方を覆うＦＰＣ保護部６１１が形成され、ＦＰＣガイド部３１１の第１の傾斜部３１２とほぼ同等の第２の傾斜部６１２が設けられている。
【００２０】
また、ＦＰＣ保護部６１１は、第２の傾斜部６１２から回路基板４の盤面方向に延長されたフランジ部６１３を有している。このフランジ部６１３は、回路基板４との間に隙間ができるように設けられている。
【００２１】
上ケース９は、液晶表示パネル１の前方側に配置され無色透明な合成樹脂からなる前面パネル１０と、この前面パネル１０の周囲に一体的に形成された覆い部および側壁を有している。この覆い部２２および側壁２３は例えば黒色の合成樹脂からなり、下ケース８の内部が見えないようにしてある。また、下ケース８は例えば白色の合成樹脂からなり、図示しないが、ビスやフックなどによって上ケース９と固定されている。
【００２２】
このように構成された液晶表示装置において、ＦＰＣ１９は、第１の傾斜部３１２と第２の傾斜部６１２との間を通過し、次に、回路基板４とフランジ部６１３との間の隙間を通過し、回路基板の裏面側に引き回されコネクタ２０に接続される。
【００２３】
このように本発明は、液晶表示パネル１と、この液晶表示パネル１が支持されるホルダー３と、液晶表示パネル１の周縁部を抑えるパネル抑え５と、液晶表示パネル１の前面を覆い、液晶表示パネル１が視認可能なように開口部６Ａを有した見返し部材６と、液晶表示パネル１と液晶表示パネル１の背後に配置される回路基板４とを電気的に接続するＦＰＣ１９とを備えた液晶表示装置において、ホルダー３は、ＦＰＣ１９を回路基板４に案内する第１の傾斜部３１２を有したＦＰＣガイド部３１１を備え、見返し部材６は、第１の傾斜部３１２と対応し、ＦＰＣ１９を覆うための第２の傾斜部６１２を有するＦＰＣ保護部６１１を備えていることによって、ＦＰＣ１９をＦＰＣガイド部３１１とＦＰＣ保護部６１１との間で挟むように引き回すことにより、ＦＰＣ１９が撓むのを防ぎ、確実に保持することができるため、振動による異音の発生や、接続不良や、ＦＰＣの断線を抑えることができる。
【００２４】
また、本発明は、ホルダー３は、ＦＰＣ１９が、第１の傾斜部３１２に沿って引き回すための切り欠き部３１３を有していることによって、ＦＰＣ１９を回路基板４側に引き回し安くすることができる。
【００２５】
また、本発明は、ＦＰＣ保護部６１１は、第２の傾斜部６１２から回路基板４の盤面方向に延長されたフランジ部６１３を有していることによって、ＦＰＣ１９が撓むのを防ぎ、確実に保持することができる。
【００２６】
また、ＦＰＣ１９を傾斜した状態で配置することによって、薄型化した液晶ユニットであっても、必要な長さのＦＰＣ１９を引き回すスペースを確保することが可能となる。
【００２７】
なお、本実施形態では、コネクタ２０は、回路基板４の裏面側に実装されているが、回路基板４の表面に実装されていてもよい。
【符号の説明】
【００２８】
１      液晶表示パネル
２      導光板
３      ホルダー（保持部材）
４      回路基板
５      パネル抑え
６      見返し部材
８      下ケース
９      上ケース
１０    前面カバー
１９    ＦＰＣ（可撓性配線板）
２０    コネクタ
３１１  ＦＰＣガイド部（ガイド部）
３１２  第１の傾斜部
３１３  切り欠き部
６１１  ＦＰＣ保護部（保護部）
６１２  第２の傾斜部
６１３  フランジ部
【図１】
0005822180.tif 000002
【図２】
0005822180.tif 000003
【図３】
0005822180.tif 000004